(57)【要約】【課題】ユーザが、その動作状態（どのようなワーニングが発生しているか）を誤解することなく認識できる印刷装置を、提供する。【解決手段】印刷装置を、発生している全てのワーニングに関するワーニングメッセージをＬＣＤ３０に表示する機能を有するとともに、１つのワーニングが発生している状態（図６（ａ））にあるか、複数のワーニングが発生している状態（図６（ｂ））にあるかをユーザが把握できる情報をＬＣＤ３０に表示する機能を有するように、構成しておく。【選択図】　図６
2004025525.tif 000002
【特許請求の範囲】
【請求項１】
文字情報を表示するためのディスプレイを有する印刷装置であって、
ユーザが操作可能な操作手段と、
各種の異常現象の発生を検出する異常現象発生検出手段と、
前記異常現象発生検出手段によって発生が検出されている１つ以上の異常現象のそれぞれについて、その異常現象の発生をユーザに知らせるための文字情報である警告情報を前記ディスプレイに表示させる処理を行う機能を有し、前記異常現象発生検出手段によって２つ以上の異常現象の発生が検出されている状態では、前記操作手段に対して所定の操作がなされたときに、前記ディスプレイに他の警告情報を表示させる警告情報表示制御手段
とを、備えることを特徴とする印刷装置。
【請求項２】
文字情報を表示するためのディスプレイを有する印刷装置であって、
ユーザが操作可能な操作手段と、
各種の異常現象の発生を検出する異常現象発生検出手段と、
前記異常現象発生検出手段によって１つの異常現象の発生が検出されたときには、その異常現象の発生をユーザに知らせるための文字情報である警告情報を前記ディスプレイに表示させ、前記異常現象発生検出手段により２つ以上の異常現象の発生が検出されたときには、複数の異常現象が発生していることをユーザに知らせるための文字情報である第２種警告情報を前記ディスプレイに表示させる第１情報表示制御手段と、
前記操作手段に対するユーザの操作に応じて、前記異常現象発生検出手段によって発生が検出されている２つ以上の異常現象のそれぞれに関する前記警告情報を前記ディスプレイに表示させる処理を行う手段であって、前記第２情報表示制御手段によって前記ディスプレイに前記第２種警告情報が表示された後に当該処理を行える状態となる第２情報表示制御手段
とを、備えることを特徴とする印刷装置。
【請求項３】
前記第１警告情報表示制御手段は、前記異常現象発生検出手段により発生が検出されているいずれかの異常現象に関する前記警告情報と所定の情報とを、前記第２種警告情報として前記ディスプレイに表示させる
ことを特徴とする請求項２記載の印刷装置。
【請求項４】
前記ディスプレイが、１行の文字列を表示するための液晶ディスプレイである
ことを特徴とする請求項１乃至請求項３のいずれかに記載の印刷装置。
【発明の詳細な説明】
【０００１】
【発明の属する技術分野】
本発明は、文字情報を表示するためのディスプレイを有する印刷装置に、関する。
【０００２】
【従来の技術】
周知のように、印刷装置の中には、そのコントロールパネルに、２０文字程度の文字列を表示可能なディスプレイ（通常、液晶ディスプレイ）が含まれており、当該ディスプレイに、自装置の状態をユーザに知らせるためのメッセージが表示されるものが、存在している。
【０００３】
【発明が解決しようとする課題】
上記のような印刷装置は、一般に、消耗品の交換／補充時期が近いことを意味する現象等（以下、ワーニングと表記する）の発生を検出した際には、そのことをユーザに知らせるためのメッセージ（以下、ワーニングメッセージと表記する）がディスプレイに表示されるように構成されている。
【０００４】
ただし、既存のいずれの印刷装置も、複数のワーニングが発生している場合、それらの中の１つに関するワーニングメッセージだけがディスプレイに表示される装置となっている。より具体的には、既存の各印刷装置は、ホストコンピュータを利用すれば、どのようなワーニングが発生しているかを全て確認することができる装置とはなっているが、コントロールパネルをどのように操作しても、ワーニングが複数個発生しているか否かを確認することが出来ない装置となっている。
【０００５】
すなわち、既存の印刷装置は、用意しておかなければならない消耗品が実際には２種以上存在するのにも拘わらず、ワーニングメッセージが示されている消耗品のみを用意しておけば良いとの誤解をユーザに与える可能性がある装置となっていた。
【０００６】
本発明は、このような現状を鑑みなされたものであり、本発明の課題は、ユーザが、その動作状態を誤解することなく認識できる印刷装置を、提供することにある。
【０００７】
【課題を解決するための手段】
上記課題を解決するために、本発明の第１の態様の印刷装置は、文字情報を表示するためのディスプレイを有する印刷装置であって、ユーザが操作可能な操作手段と、各種の異常現象の発生を検出する異常現象発生検出手段と、異常現象発生検出手段によって発生が検出されている１つ以上の異常現象のそれぞれについて、その異常現象の発生をユーザに知らせるための文字情報である警告情報をディスプレイに表示させる処理を行う機能を有し、異常現象発生検出手段によって２つ以上の異常現象の発生が検出されている状態では、操作手段に対して所定の操作がなされたときに、ディスプレイに他の警告情報を表示させる警告情報表示制御手段とを、備える。
【０００８】
すなわち、本発明の第１の態様の印刷装置は、自装置にて発生している各種の異常現象（異常現象発生検出手段が検出可能なもの）に関する警告情報を、１個ずつ、液晶ディスプレイ等のディスプレイに表示することが出来る構成であって、異常現象発生検出手段によって２つ以上の異常現象の発生が検出されている場合には、操作手段に対して所定の操作がなされたときに、ディスプレイに他の警告情報を表示させることができる構成を、有する。従って、本発明の第１の態様の印刷装置は、ユーザが、その動作状態を誤解することなく認識できる印刷装置として機能することになる。
【０００９】
また、本発明の第２の態様の印刷装置は、文字情報を表示するためのディスプレイを有する印刷装置であって、ユーザが操作可能な操作手段と、各種の異常現象の発生を検出する異常現象発生検出手段と、異常現象発生検出手段によって１つの異常現象の発生が検出されたときには、その異常現象の発生をユーザに知らせるための文字情報である警告情報をディスプレイに表示させ、異常現象発生検出手段により２つ以上の異常現象の発生が検出されたときには、複数の異常現象が発生していることをユーザに知らせるための文字情報である第２種警告情報をディスプレイに表示させる第１情報表示制御手段と、操作手段に対するユーザの操作に応じて、異常現象発生検出手段によって発生が検出されている２つ以上の異常現象のそれぞれに関する警告情報をディスプレイに表示させる処理を行う手段であって、第２情報表示制御手段によってディスプレイに第２種警告情報が表示された後に当該処理を行える状態となる第２情報表示制御手段とを備える。
【００１０】
すなわち、本発明の第２の態様の印刷装置は、１個の異常現象が発生しているか複数個の異常現象が発生しているかをユーザがディスプレイの表示内容から把握することが出来る装置であるとともに、複数個の異常現象が発生している場合には、ユーザが、操作手段を操作することによりどのような異常現象が発生しているかを把握することが出来る装置となっている。従って、この本発明の第２の態様の印刷装置も、ユーザが、その動作状態を誤解することなく認識できる印刷装置として機能することになる。
【００１１】
この第２の態様の印刷装置を実現するに際しては、第２種警告情報として、複数の異常現象が発生していることのみを示す情報がディスプレイに表示させるようにしておいても良いが、第１警告情報表示制御手段は、異常現象発生検出手段により発生が検出されているいずれかの異常現象に関する警告情報と所定の情報とが第２種警告情報としてディスプレイに表示されるようにしておくことが望ましい。何故ならば、そのように印刷装置を構成しておけば、発生している複数の異常現象の中の１つに異常現象に関しては、操作手段を操作しなくても、その異常現象がどのようなものであるかをユーザが把握できることになるからである。
【００１２】
なお、この構成を採用して第２の態様の印刷装置を実現する際には、所定の情報として、通常の警告情報には用いられていない情報（例えば、特殊な図形や図形的な文字／記号）が表示されるようにしておくことが望ましい。
【００１３】
【発明の実施の形態】
以下、本発明の実施の形態を、図面を参照して詳細に説明する。
【００１４】
まず、図１及び図２を用いて、本発明の一実施形態に係る印刷装置１０のハードウェア構成を、説明する。
【００１５】
図１に示したように、本実施形態に係る印刷装置１０は、制御部１１とコントロールパネル１２と印刷機構部１３とで構成された装置である。
【００１６】
コントロールパネル１２は、ユーザと印刷装置１０との間のインタフェースとして、印刷装置１０の上面に設けられているユニットである。このコントロールパネル１２は、図２に示したように、液晶ディスプレイ（ＬＣＤ）３０，バックスイッチ３１，アップスイッチ３２，ダウンスイッチ３３，設定実行スイッチ３４，ジョブキャンセルスイッチ３５，データランプ３６，印刷可ランプ３７，エラーランプ３８及び印刷可スイッチ３９等で構成されている。
【００１７】
ＬＣＤ３０は、２０文字の表示が可能なモノクロＬＣＤである。バックスイッチ３１，アップスイッチ３２，ダウンスイッチ３３，設定実行スイッチ３４は、印刷装置１０の状態を知りたい場合や各種パラメータの設定を行いたい場合にユーザが操作すべきスイッチ（押しボタンスイッチ）である。印刷可スイッチ３９は、オンライン／オフラインの切り替えを行いたい場合に、ユーザが押下すべきスイッチであり、ジョブキャンセルスイッチ３５は、印刷を中止させたい場合に、ユーザが、印刷可スイッチ３９を押下した後に押下すべきスイッチとなっている。
【００１８】
データランプ３６は、印刷データの受信中に点灯される発光ダイオード（ＬＥＤ）であり、印刷可ランプ３７は、オンライン状態（かつ、印刷が可能な状態）にあるときに点灯されるＬＥＤである。エラーランプ３８は、エラーが発生しているときに点灯されるＬＥＤである。
【００１９】
印刷機構部１３（図１）は、制御部１１の制御下、用紙上へ印刷を行うユニットである。この印刷機構部１３は、制御部１１から供給される信号に基づき用紙上へ実際に印刷を行う印刷エンジン（本実施形態では、電子写真式のカラー印刷を行うもの）、印刷エンジンに用紙を供給するための複数の給紙装置、印刷が行われた用紙を印刷装置１０外に排出するための排紙装置等で、構成されている。
【００２０】
制御部１１は、受信した印刷データに応じた内容の印刷物を印刷機構部１３に生成させる印刷制御処理や、コントロールパネル１２に対するユーザの操作に応答する処理を行うユニットである。この制御部１１は、図示してあるように、ホストインタフェース回路２１，ＣＰＵ２２，ＲＡＭ２３，メモリ制御部２４，ＲＯＭ２５，ＥＥＰＲＯＭ２６，インタフェース回路部２７等で構成されている。
【００２１】
制御部１１を構成しているＲＯＭ２５は、各種のプログラムが記憶された不揮発性メモリである。ＲＡＭ２３は、ＲＯＭ２５に記憶されているプログラムが読み出されるメモリであるとともに、ＲＡＭ２３上に読み出されているプログラムの作業領域として用いられるメモリである。ＥＥＰＲＯＭ２６は、印刷装置１０の電源投入直後の動作条件を規定する各種の情報を記憶しておくための不揮発性メモリである。
【００２２】
ＣＰＵ２２は、ＲＡＭ２３上のプログラムに従って各部を統合的に制御する制御回路である。ホストインタフェース回路２１は、ＣＰＵ２２の制御下、図示せむホスト装置（本印刷装置１０用のプリンタドライバがインストールされたコンピュータ）との間で通信を行うための回路である。メモリ制御部２４は、ＣＰＵ２２の制御下、ホストインタフェース回路２１からＲＡＭ２３にデータを転送する処理や、ＲＡＭ２３上にＣＰＵ２２が生成した印刷用イメージデータに応じた信号を印刷エンジン１３へ供給する処理などを行う回路である。インタフェース回路部２７は、ＣＰＵ２２とコントロールパネル１２との間、ＣＰＵ２２と印刷エンジン１３との間でデータを授受するための幾つかのインタフェース回路からなるユニットである。
【００２３】
次に、本実施形態に係る印刷装置１０の動作（制御部１１の動作）を、説明する。
【００２４】
本印刷装置１０は、ワーニングが発生した場合における動作に特徴がある装置である。このため、本印刷装置１０の全体的な動作手順を説明する前に、本印刷装置１０にてワーニングとして取り扱われる現象の説明と、ワーニングの発生を検出したときの制御部１１の動作の説明とを、行っておくことにする。
【００２５】
本印刷装置１０にて、ワーニングとして取り扱われる現象は、交換可能部品が、残り寿命がわずかな状態となったという現象や、給紙装置内の用紙が、残りわずかとなったという現象や、印刷データ中での指示を無視して印刷が行われたという現象等、その発生により印刷装置１０が印刷を行えない状態とはならない現象である。換言すれば、本印刷装置１０は、エラー（印刷装置１０が印刷を行えない状態となる現象）の発生が予測される現象や、その発生自体に問題がある現象が、ワーニングとして取り扱われる装置となっている。また、本印刷装置１０は、図３に例示したように、各ワーニング（図では、ワーニングメッセージ）に対して優先順位が割り当てられている装置となっている。
【００２６】
そして、本印刷装置１０は、各種のワーニングの発生が、主として、電源投入時に実行される起動時処理時と、印刷データ受信時に実行される印刷制御処理時とに、検出される装置となっており、或るワーニングが発生していることを検出した場合、制御部１１は、所定のテーブル（以下、ワーニングテーブルと表記する）に、当該ワーニングの識別情報（以下、ワーニング番号と表記する）を追加する。この際、制御部１１は、テーブル内での各ワーニング番号の順番が優先順位順となるように、発生を検出したワーニングに関するワーニング番号をワーニングテーブルへ追加する。
【００２７】
以上のことを前提として、以下、図４乃至図８を用いて、印刷装置１０の動作（制御部１１の動作）を具体的に説明する。なお、これらの図のうち、図４は、制御部１１の全体的な動作手順を示した流れ図であり、図５は、図４のステップＳ１０２にて実行される状態表示処理の流れ図である。図６は、１つのワーニングのみが発生している場合と複数のワーニングが発生している場合とにＬＣＤ３０に表示される情報を説明するための図である。図７は、制御部１１による、ＬＣＤ３０に表示する情報の管理方法の説明図であり、図８は、制御部１１による、ＬＣＤ３０の制御例の説明図である。
【００２８】
図４に示したように、印刷装置１０の電源が投入されると、制御部１１は、まず、起動時処理（ステップＳ１０１）を行うことにより、初期化が必要とされている各部の初期化を行うとともに、発生しているエラーやワーニングを全て特定し記憶する。
【００２９】
起動時処理を終えた制御部１１は、状態表示処理（ステップＳ１０２）を開始する。なお、この状態表示処理は、印刷データを受信した結果として制御部１１が開始した印刷制御処理中にエラー／ワーニングの発生が検出された場合や当該印刷制御処理が完了した場合（ステップＳ１０４；ワーニング／エラー発生等）にも、開始される処理となっている。
【００３０】
図５に示したように、状態表示処理を開始した制御部１１は、エラーが発生している場合（ステップＳ２０１；ＹＥＳ）には、当該エラーを表すエラーメッセージをＬＣＤ３０に表示させる処理（ステップＳ２０２）を行う。そして、制御部１１は、エラーモードでの動作を開始し、エラーを解消する作業（交換可能部品を交換する作業、装置内に詰まっている紙を取り除く作業等）がユーザによって行われるのを待機する状態となる。
【００３１】
一方、エラーが発生していなかった場合（ステップＳ２０１；ＮＯ）、制御部１１は、発生しているワーニングの数（ワーニングテーブルに記憶されているワーニング番号の数）が“０”、“１”、“２以上”のいずれであるかを判断する（ステップＳ２０３）。そして、発生しているワーニングの数が“０”であった場合（ステップＳ２０３；＝０）、つまり、ワーニングが発生していなかった場合、制御部１１は、“インサツカノウ”をＬＣＤ３０に表示させるための処理（ステップＳ２０４）を行った後に、状態表示処理を終了する。
【００３２】
これに対して、１個のワーニングが発生していた場合（ステップＳ２０３：＝１）、制御部１１は、ＬＣＤ３０にワーニング［０］を表示させるための処理（ステップＳ２０５）を行った後、状態表示処理を終了する。なお、ワーニング［ｎ］とは、ワーニングテーブルの“ｎ＋１”番目に記憶されているワーニング番号に対応付けられているワーニングメッセージのことである。例えば、印刷機構部１３に用いられている感光体ユニットの寿命が残り少なくなったというワーニングのみが発生している状態で（ワーニング［０］が“カンコウタイユニット　コウカンマチ゛カ”である場合に）、このステップＳ２０５の処理が行われると、ＬＣＤ３０は、図６（ａ）に示したようなワーニングメッセージを表示している状態となる。
【００３３】
また、２個以上のワーニングが発生していた場合（ステップＳ２０３：≧２）、制御部１１は、ワーニング［０］と他のワーニングも発生していることを示す所定の情報（本実施形態では、菱形：以下、複数ワーニング発生提示記号と表記する）とを、ＬＣＤ３０に表示させるための処理（ステップＳ２０６）を行う。
【００３４】
例えば、感光体ユニットの寿命が残り少なくなったというワーニングと、廃トナーボックスがフル状態に近くなったというワーニングとが発生していた場合に、このステップＳ１０６の処理が行われると、ＬＣＤ３０は、図６（ｂ）に示したようなワーニングメッセージを表示している状態となる。なお、この図６（ｂ）において複数ワーニング発生提示記号と共に表示されているワーニングメッセージが“カンコウタイユニット　コウカンマチ゛カ”となっている（“ハイトナーホ゛ックス　コウカンマチ゛カ”となっていない）のは、既に説明したように、ワーニングテーブルが、ワーニング番号の記憶が優先順位順に行われるテーブルとなっており、また、“カンコウタイユニット　コウカンマチ゛カ”の方が“ハイトナーホ゛ックス　コウカンマチ゛カ”よりも優先順位が高いワーニング（図３参照）であるので、この場合、ワーニング［０］が“ハイトナーホ゛ックス　コウカンマチ゛カ”となるためである。
【００３５】
そして、ステップＳ２０６の処理を終えた制御部１１は、現メニューＩＤとして、“ステータスメニュー”に関するメニューＩＤ（図では、ステータスメニューＩＤ）を記憶する処理（ステップＳ２０７）を行ってから、状態表示処理を終了する。
【００３６】
ここで、メニューＩＤとは、制御部１１が、図７に示したような構造（いわゆる木構造）を有するものとして管理している，ＬＣＤ３０に表示するための情報群に含まれる１グループ分の情報群（図において１つの点線枠内に示されている情報群）に割り当てられている識別情報のことである。より具体的には、メニューＩＤとは、“シ゛ョウホウメニュー”等の情報（以下、メニューメッセージ表記する）と、その情報（メニューメッセージ）下に繋がった、“Ｃトナー＝Ｅ＊＊＊＊Ｆ”等の情報（以下、メニュー項目値と表記する）群とからなる情報群（以下、メニュー情報と表記する）に割り当てられている識別情報のことである。なお、上記した“ステータスメニュー”に関するメニューＩＤとは、図７において、“ステータス　メニュー”というメニューメッセージを含んでいるメニュー情報の識別情報のことであり、この“ステータスメニュー”に関するメニュー情報は、１つ以上のワーニングが発生したときに、この木構造に組み込まれる情報となっている。
【００３７】
また、現メニューＩＤとは、コントロールパネル１２に対するユーザの操作に応じて、メニュー情報の要素（メニューメッセージ或いはメニュー項目値）をＬＣＤ３０に表示させる処理である後述するステップＳ１０８〜Ｓ１１３の処理（以下、パネル設定処理と表記する）時に、表示対象となっているメニュー情報がいずれのメニュー情報であるかを特定するために使用されるパラメータのことである。
【００３８】
図４に戻って、制御部１１の動作説明を続ける。なお、以下では、説明の便宜上、ジョブキャンセルスイッチ３５、印刷可スイッチ３９に関する制御部１１の動作（各スイッチの押下を監視するか否か等）の説明は、原則として省略することにする。換言すれば、以下では、コントロールパネル１２に設けられているスイッチが、バックスイッチ３１，アップスイッチ３２，ダウンスイッチ３３，設定実行スイッチ３４のみであるとして、制御部１１の動作の説明を行うことにする。
【００３９】
状態表示処理を終えた制御部１１は、ステップＳ１０３にて、以下の処理を行う。
【００４０】
印刷制御処理を行っておらず、かつ、ＬＣＤ３０に“インサツカノウ”を表示させている場合、制御部１１は、ステップＳ１０３にて、印刷データが受信されることを監視するとともに、設定実行スイッチ３４が押下されることを監視する。一方、印刷制御処理を行っておらず、かつ、ＬＣＤ３０にワーニング［０］と複数ワーニング発生提示記号とを表示させている場合、制御部１１は、このステップＳ１０３にて、印刷データが受信されることを監視するとともに、設定実行スイッチ３４或いはダウンスイッチ３３が押下されることを監視する。
【００４１】
そして、印刷データの受信を検出した場合（ステップＳ１０３、Ｓ１０４：印刷データ受信）、制御部１１は、当該印刷データに対する印刷制御処理を開始する（ステップＳ１０５）。
【００４２】
その後、制御部１１は、印刷制御処理とステップＳ１０３の処理とを並行的に実行している状態であって、ステップＳ１０３の処理として、実行中の印刷制御処理にてエラー／ワーニングの発生が検出されることと印刷制御処理の終了（正常終了）とを監視する処理を行っている状態となる。そして、制御部１１は、印刷制御処理にてエラー／ワーニングの発生が検出された場合、或いは、印刷制御処理が終了した場合（ステップＳ１０３、Ｓ１０４：エラー／ワーニング発生等）には、ステップＳ１０２からの処理を再び実行する。
【００４３】
すなわち、エラーの発生により印刷制御処理が中断された場合、制御部１１は、ＬＣＤ３０にエラーメッセージを表示させる処理をステップＳ２０２（図５）にて行った後、エラーモードでの動作を開始する。
【００４４】
また、印刷制御処理にてワーニングの発生が検出された場合、制御部１１は、印刷制御処理を中断することなく、状態表示処理を実行する。そして、その時点におけるワーニングテーブルの内容に応じて、ステップＳ２０５或いはＳ２０６の処理が行われる結果として、ＬＣＤ３０には、ワーニング［０］、或いは、ワーニング［０］及び複数ワーニング発生提示記号が、表示されることになる。
【００４５】
また、制御部１１は、印刷制御処理が正常に終了した場合にも、状態表示処理を実行する。この場合における状態表示処理時、制御部１１は、前回の状態表示処理時に表示させたものと同じ情報をＬＣＤ３０に表示させるための処理か、“インサツカノウ”をＬＣＤ３０に再表示させるための処理を行うことになる。
【００４６】
このような状態表示処理を行った後、制御部１１は、ステップＳ１０３にて、印刷データの受信と設定実行スイッチ３４の押下、又は、印刷データの受信と設定実行スイッチ３４及びダウンスイッチ３３の押下とを待機する状態となる。
【００４７】
そして、ＬＣＤ３０にワーニング［０］と複数ワーニング発生提示記号とが表示されている状態でダウンスイッチ３３が押下された場合（ステップＳ１０３、Ｓ１０４；パネル設定指示入力、Ｓ１０６；ＹＥＳ）、制御部１１は、現メニューＩＤを変更することなく（現メニューＩＤを“スタータスメニュー”に関するメニューＩＤとしたままで）、パネル設定処理（ステップＳ１０８〜Ｓ１１３の処理）を開始し、まず、現メニューＩＤに応じたメニューメッセージをＬＣＤ３０に表示させる（ステップＳ１０８）。一方、設定実行スイッチ３４が押下された場合（ステップＳ１０３、Ｓ１０４；パネル設定指示入力、Ｓ１０６；ＮＯ）、制御部１１は、現メニューＩＤとして、ステップＳ１０８の処理にて“シ゛ョウホウ　メニュー”がＬＣＤ３０に表示されることになる第１メニューＩＤを記憶（ステップＳ１０５）した後、パネル設定処理を開始する。
【００４８】
メニューメッセージ（“ステータス　メニュー”或いは“シ゛ョウホウ　メニュー”）をＬＣＤ３０に表示させた制御部１１は、ユーザによりスイッチが押下されるのを待機（ステップＳ１０９）する。そして、バックスイッチ３１或いは印刷可スイッチ３９が押下された場合（ステップＳ１０９、Ｓ１１０；バック／印刷可）、制御部１１は、ステップＳ１０２からの処理を再び実行する。
【００４９】
また、ダウンスイッチ３３／アップスイッチ３２が押下された場合（ステップＳ１１０、ダウン／アップ）、制御部１１は、現メニューＩＤに次／前メニューＩＤを設定（ステップＳ１１１）した後、再び、ステップＳ１０８以降の処理を行う。
【００５０】
すなわち、“ステータスメニュー”、“シ゛ョウホウ　メニュー”といったメニューメッセージがＬＣＤ３０に表示されている状態で、ダウンスイッチ３３／アップスイッチ３２が押下された場合、制御部１１は、ＬＣＤ３０に他のメニューメッセージを表示させる処理を行う。
【００５１】
一方、メニューメッセージがＬＣＤ３０に表示されている状態で設定実行スイッチ３４が押下された場合（ステップＳ１０９、Ｓ１１０；設定実行）、制御部１１は、ステップＳ１１２にて、その時点における現メニューＩＤに応じた内容のメニュー項目値表示処理を行う。
【００５２】
このステップＳ１１２で実行されるメニュー項目値表示処理は、現メニューＩＤにて識別されるメニュー情報内のメニュー項目値をユーザに提示するための処理である。このメニュー項目値表示処理には、ユーザに単に情報を提示するためのメニュー項目値表示処理（以下、第１種メニュー項目値表示処理と表記する）と、ユーザから指示を受けるためのメニュー項目値表示処理（以下、第２種メニュー項目値表示処理と表記する）とが存在している。
【００５３】
まず、第１種メニュー項目値表示処理時の制御部１１の動作を説明する。第１種メニュー項目値表示処理時、制御部１１は、ダウンスイッチ３３或いはアップスイッチ３２が押下された場合には、ＬＣＤ３０に表示されているメニュー項目値を、同一のメニュー情報内の次のメニュー項目値或いは前のメニュー項目値に変更するための処理を行う。そして、制御部１１は、バックスイッチ３１が押下された場合には、パネル設定の続行が指示されたものとして第１種メニュー項目値表示処理を終了する。また、印刷可スイッチ３９が押下された場合、制御部１１は、パネル設定の終了が指示されたものとして第１種メニュー項目値表示処理を終了する。
【００５４】
以下、“ステータスメニュー”に関するメニュー項目値表示処理を例に、この第１種メニュー項目値表示処理時の制御部１１の動作をさらに具体的に説明しておく。“ステータス　メニュー”がＬＣＤ３０に表示されている状態で設定実行ボタンが押下された場合、制御部１１は、ステップＳ１２２にて、“ステータスメニュー”に関する第１種メニュー項目値表示処理を開始する。そして、制御部１１は、まず、菱形記号とワーニング［０］とをＬＣＤ３０に表示させる処理を行う。その後、制御部１１は、スイッチが押下されるのを待機する状態となり、菱形記号とワーニング［ｋ］（ｋは、０〜ｍ、ｍは“発生しているワーニングの総数−１”）が表示されている状態で、ダウンスイッチ３３が押下された場合には、菱形記号とワーニング［（ｋ＋１）　ｍｏｄ　（ｍ＋１）］とをＬＣＤ３０に表示させる。また、アップスイッチ３２が押下された場合、制御部１１は、菱形記号とワーニング［（ｋ＋ｍ−１）　ｍｏｄ　（ｍ＋１）］とをＬＣＤ３０に表示させ、バックスイッチ３１或いは印刷可スイッチ３９が押下された場合には、ステップＳ１１２の処理（第１種メニュー項目値表示処理）を終了する。
【００５５】
一方、第２種メニュー項目値表示処理（第２種ユーザから指示を受けるためのメニュー項目値表示処理）は、メニュー項目値が表示されている状態で設定実行スイッチ３４の押下を受け付ける処理となっている。
【００５６】
以下、“リセットメニュー”（図７参照）に関するメニュー項目値表示処理を例に、この第２種メニュー項目値表示処理時の制御部１１の動作を説明する。
【００５７】
菱形記号と“リセット　メニュー”とがＬＣＤ３０に表示されている状態で設定実行ボタンが押下された場合、制御部１１は、ステップＳ１１２にて、“リセットメニュー”に関する第２種メニュー項目値表示処理を開始する。そして、制御部１１は、まず、菱形記号と“ワーニンク゛クリア”とをＬＣＤ３０に表示させるための処理を行う。その後、制御部１１は、スイッチが押下されるのを待機する状態となり、この状態で、ダウンスイッチ３３が押下された場合には、菱形記号と“オールワーニンク゛クリア”とをＬＣＤ３０に表示させる。また、制御部１１は、菱形記号と“ワーニンク゛クリア”とがＬＣＤ３０に表示されている状態でアップスイッチ３２が押下された場合、或いは、菱形記号と“オールワーニンク゛クリア”とがＬＣＤ３０に表示されている状態でダウンスイッチ３３が押下された場合には、リセットメニューに関する他のメニュー項目値をＬＣＤ３０に表示させる。
【００５８】
そして、制御部１１は、菱形記号と“ワーニンク゛クリア”とがＬＣＤ３０に表示されている状態で設定実行スイッチ３４が押下された場合には、ワーニングテーブル内に記憶されている、消耗品に関するものではないワーニング番号のみを消去する処理を行うとともに、その後、その種のワーニングの発生を検出しないことを記憶する処理を行ってから、パネル設定の続行が指示されたものとして第２種メニュー項目値表示処理を終了する。また、菱形記号と“オールワーニンク゛クリア”とがＬＣＤ３０に表示されている状態で設定実行スイッチ３４が押下された場合、制御部１１は、ワーニングテーブル内に記憶されている全てのワーニング番号を消去する処理と、その後、全てのワーニングの発生を検出しないことを記憶する処理とを行ってから、パネル設定の続行が指示されたものとして第２種メニュー項目値表示処理を終了する。
【００５９】
そして、第１種或いは第２種メニュー項目値表示処理を終えた制御部１１は、パネル設定の続行が指示されている（バックスイッチ３１の押下によりメニュー項目値表示処理が終了された）場合（ステップＳ１１３；ＹＥＳ）には、ステップＳ１０８からの処理を実行し、パネル設定の終了が指示されている場合（ステップＳ１１３；ＮＯ）には、ステップＳ１０２からの処理を実行する。
【００６０】
以上、詳細に説明したように、本実施形態に係る印刷装置１０は、ユーザがコントロールパネル１２上のスイッチを操作することにより、その時点において印刷装置１０に発生している全てのワーニングを確認することが出来る装置となっている。しかも、印刷装置１０は、複数のワーニングが発生している場合、その旨を示す複数ワーニング発生提示記号がＬＣＤ３０に表示されるので、複数のワーニングが発生している状態にあるか否かをユーザが簡単に判別できる装置ともなっている。また、印刷装置１０は、複数のワーニングが発生している場合、図８に示したような手順で発生している全てのワーニングをユーザが確認できる装置（設定実行スイッチ３４を押下し、ステータスメニューがＬＣＤ３０に表示されるまでダウンスイッチ３３等の押下を繰り返さなくても良い装置）ともなっている。従って、印刷装置１０は、ユーザが、その動作状態を誤解することなく認識できる装置となっていると言うことが出来る。
【００６１】
＜変形形態＞
上記した印刷装置１０は、各種の変形を行うことが出来る。例えば、印刷装置１０は、複数のワーニングが発生している場合、それらのワーニングの中の１つのワーニングに関するワーニングメッセージと、複数ワーニング発生提示記号とが、ＬＣＤ３０に表示される装置であったが、複数のワーニングが発生している場合、そのことを示すメッセージ（例えば、“フクスウ　ワーニンク゛アリ”、“ｎワーニンク゛ハッセイチュウ”）がＬＣＤ３０に表示されるようにしておいても良い。ただし、そのようにしておいた場合、コントロールパネル１２を操作しない限り、実際にどのワーニングが発生しているかが全く分からないことになるので、上記した構成を採用しておくことが望ましい。
【００６２】
また、印刷装置１０は、複数ワーニング発生時、ダウンスイッチ３３、設定実行スイッチ３４、ダウンスイッチ３３（或いはアップスイッチ３２）をこの順で押下しなければ、ユーザが、発生している他のワーニングを確認できない装置であったが、複数ワーニング発生時、ダウンスイッチ３３／アップスイッチ３２が押下されるたびに、発生している他のワーニングに関するワーニングメッセージがＬＣＤ３０に表示されるように、印刷装置１０を構成しておいても良い。
【００６３】
また、複数ワーニング発生提示記号が上記したもの（菱形記号）でなくても良いことや、コントロールパネル１２に設けられているスイッチの種類／数等が上記したものと異なっていても良いことなどは、当然である。さらに、本印刷装置１０で用いられている技術を、他のコンピュータ周辺機器に適用しても良いことも、当然である。
【００６４】
【発明の効果】
本発明によれば、ユーザが、その動作状態を誤解することなく認識できる印刷装置を得ることが出来る。
【図面の簡単な説明】
【図１】本発明の一実施形態に係る印刷装置のハードウェア構成図である。
【図２】実施形態に係る印刷装置が備えるコントロールパネルの説明図である。
【図３】実施形態に係る印刷装置にてその発生が検出されるワーニングと優先順位との関係の説明図である。
【図４】実施形態に係る印刷装置内の制御部が実行する処理の流れ図である。
【図５】図４のステップＳ１０２にて実行される状態表示処理の流れ図である。
【図６】１つのワーニングのみが発生している場合と複数のワーニングが発生している場合とにＬＣＤに表示される情報の違いを説明するための図である。
【図７】制御部による、ＬＣＤに表示する情報の管理方法の説明図である。
【図８】印刷装置にて発生している複数のワーニングの内容を確認する際にユーザがコントロールパネルに対して行うべき操作手順の説明図である。
【符号の説明】
１０　印刷装置
１１　制御部
１２　コントロールパネル
１３　印刷機構部
２１　ホストインタフェース回路
２２　ＣＰＵ
２３　ＲＡＭ
２４　メモリ制御部
２５　ＲＯＭ
２６　ＥＥＰＲＯＭ
２７　インタフェース回路部
３０　液晶ディスプレイ（ＬＣＤ）
３１　バックスイッチ
３２　アップスイッチ
３３　ダウンスイッチ
３４　設定実行スイッチ
３５　ジョブキャンセルスイッチ
３６　データランプ
３７　印刷可ランプ
３８　エラーランプ
３９　印刷可スイッチ
【図１】
2004025525.tif 000003
【図２】
2004025525.tif 000004
【図３】
2004025525.tif 000005
【図４】
2004025525.tif 000006
【図５】
2004025525.tif 000007
【図６】
2004025525.tif 000008
【図７】
2004025525.tif 000009
【図８】
2004025525.tif 000010